(57)【要約】【課題】手乾燥装置の側面に手が触れないように慎重に乾燥させるため、乾燥時間が長い、また、上部から下部に向かっての一方向からの噴出しのため、手の平と手の甲を交互に乾燥させなければならず、乾燥時間が長くなることから、乾燥時間の短縮化が要望されていた。【解決手段】乾燥室と、ノズル部と、ファンモーターとを備え、ノズルカバーの噴出し面には複数のノズルを有し、前記噴出し面を３つの領域として区分するにあたり、前記乾燥室への手の挿入側を第１の領域とし、第一の領域を前方エリア、第２の領域を中央エリア、第３の領域を後方エリアと区分したとき、前記前方エリアの噴出し風量を一番多く、中央エリアは前記前方エリアより少なく、後方エリアの噴出し風量が一番少なくなるように、前方エリアから後方エリアへ向かって順次噴出し風量を少なくした手乾燥装置を提供する。【選択図】図１
2006288588.tif 000002
【特許請求の範囲】
【請求項１】
空気を噴出した空間に手を挿入して乾燥する凹状に形成された乾燥室と、前記乾燥室に向けて温風を噴出するノズル部と、前記ノズル部から噴出する空気を送出するファンモーターとを備えた手乾燥装置にあって、前記ノズル部を有するノズルカバーの噴出し面には複数のノズルを有し、前記噴出し面を３つの領域として区分するにあたり、前記乾燥室への手の挿入側を第１の領域とし、第一の領域を前方エリア、第２の領域を中央エリア、第３の領域を後方エリアと区分したとき、前記前方エリアの噴出し風量を一番多くし、中央エリアは前記前方エリアより少なく、後方エリアの噴出し風量が一番少なくなるように、前方エリアから後方エリアへ向かって順次噴出し風量を少なくしたことを特徴とする手乾燥装置。
【請求項２】
前記噴出し面の領域である第１の領域の前方エリアのノズルを、手の挿入方向に対して垂直な方向である略横向きに配置したことを特徴とする請求項1に記載の手乾燥装置。
【請求項３】
前記噴出し面の領域である第２の領域の中央エリアのノズルを、手の挿入方向に対して垂直な方向である略横向きに配置したことを特徴とする請求項１または２に記載の手乾燥装置。
【請求項４】
前記噴出し面の領域である第３の領域の後方エリアのノズルを、手の挿入方向に対して平行な方向である略縦向きに配置したことを特徴とする請求項１、２または３に記載の手乾燥装置。
【請求項５】
前記噴出しノズルは、前記前方エリアから後方エリアまで連続した開口部を有し、前方エリアのノズル孔が後方エリアにかけて順次形状と寸法が縮小されていることを特徴とする請求項１記載の手乾燥装置。
【請求項６】
前記ノズル孔は、長孔または複数の丸孔形状で形成したことを特徴とする請求項１から請求項５のいずれかに記載の手乾燥装置。
【発明の詳細な説明】
【技術分野】
【０００１】
本発明は、洗面所やトイレ等で手を洗った場合、濡れた手を乾燥させる手乾燥装置に関する。
【背景技術】
【０００２】
従来、この種の手乾燥装置としては、両面から空気を噴出す空間に手を挿入して乾燥を行う手乾燥装置が知られている（例えば特許文献１参照）。
【０００３】
また、乾燥空間の上部にファンモーターを備え、乾燥空間の上方から空気を噴出す手乾燥装置が知られている（例えば特許文献２参照）。
【特許文献１】特開２００２−３４８３７号公報
【特許文献２】特開平１０−９９２３５号公報
【発明の開示】
【発明が解決しようとする課題】
【０００４】
しかし、特許文献１に示される手乾燥装置では、狭い空間に手を挿入しなければならないため、使用時に手が装置本体に触れてしまうという不快感を生じ、手乾燥装置の側面に手が触れないように慎重に乾燥させるため乾燥時間が長い、また、特許文献２に示される手乾燥装置では、乾燥空間が広く清掃もおこないやすいため清潔感は確保されていたが、噴出のノズル部が乾燥空間の上部から下部に向かっての一方向からのみ噴出しのため、手の平と手の甲を交互に乾燥させなければならず、乾燥時間が長くなることから、乾燥時間の短縮化が要望されていた。
【０００５】
そこで本発明は、最適な気流の噴出しをおこない乾燥時間の短縮化を図った手乾燥装置を提供することを目的とする。
【０００６】
また本発明は、乾燥感を高めることを目的とする。
【課題を解決するための手段】
【０００７】
請求項１記載の本発明の手乾燥装置は、空気を噴出した空間に手を挿入して乾燥する凹状に形成された乾燥室と、前記乾燥室に向けて温風を噴出するノズル部と、前記ノズル部から噴出する空気を送出するファンモーターとを備えた手乾燥装置にあって、前記ノズル部を有するノズルカバーの噴出し面には複数のノズルを有し、前記噴出し面を３つの領域として区分するにあたり、前記乾燥室への手の挿入側を第１の領域とし、第一の領域を前方エリア、第２の領域を中央エリア、第３の領域を後方エリアと区分したとき、前記前方エリアの噴出し風量を一番多くし、中央エリアは前記前方エリアより少なく、後方エリアの噴出し風量が一番少なくなるように、前方エリアから後方エリアへ向かって順次噴出し風量を少なくしたことを特徴とする。
【０００８】
請求項２記載の本発明の手乾燥装置は、請求項１に記載の手乾燥装置において、前記噴出し面の領域である第１の領域の前方エリアのノズルを、手の挿入方向に対して垂直な方向である略横向きに配置したことを特徴とする。
【０００９】
請求項３記載の本発明の手乾燥装置は、請求項１または請求項２に記載の手乾燥装置において、前記噴出し面の領域である第２の領域の中央エリアのノズルを、手の挿入方向に対して垂直な方向である略横向きに配置したことを特徴とする。
【００１０】
請求項４記載の本発明の手乾燥装置は、請求項１、２または請求項３に記載の手乾燥装置において、前記噴出し面の領域である第３の領域の後方エリアのノズルを、手の挿入方向に対して平行な方向である略縦向きに配置したことを特徴とする。
【００１１】
請求項５記載の本発明の手乾燥装置は、請求項１に記載の手乾燥装置において、前記噴出しノズルは、前記前方エリアから後方エリアまで連続した開口部を有し、前方エリアのノズル孔が後方エリアにかけて順次形状と寸法が縮小されていることを特徴とする。
【００１２】
請求項６記載の本発明の手乾燥装置は、請求項1から請求項５に記載の手乾燥装置において、前記ノズル孔は、長孔または複数の丸孔形状で形成したことを特徴とする。
【発明の効果】
【００１３】
本発明によれば、手の挿入に合わせて、手前側から奥にかけて気流の噴出し風量を変化させ、手の乾燥を面でおこない、かつ、乾燥時間の長い空間の風量を一番多くすることにより、乾燥に最適な気流の噴出しをおこなうことができるため、乾燥時間の短縮ができる効果のある手乾燥装置を提供できる。
【００１４】
また本発明は、手全体を乾燥させることにより、乾燥感を高める効果のある手乾燥装置を提供できる。
【発明を実施するための最良の形態】
【００１５】
本発明の第１の実施の形態による手乾燥装置は、乾燥室と、ノズル部と、ファンモーターとを備え、ノズルカバーの噴出し面には複数のノズルを有し、前記噴出し面を３つの領域として区分するにあたり、前記乾燥室への手の挿入側を第１の領域とし、第一の領域を前方エリア、第２の領域を中央エリア、第３の領域を後方エリアと区分したとき、前記前方エリアの噴出し風量を一番多くし、中央エリアは前記前方エリアより少なく、後方エリアの噴出し風量が一番少なくなるように、前方エリアから後方エリアへ向かって順次噴出し風量を少なくしたものである。これにより、乾燥時間の長い空間の風量を一番多くすることにより、細い指にあわせて風量とすることにより、乾燥に最適な気流の噴出しをおこなうことができるため、乾燥時間の短縮を図ることが可能となる。
【００１６】
本発明の第２の実施の形態による手乾燥装置は、第１の実施の形態による手乾燥装置において、前記噴出し面の領域である第１の領域の前方エリアのノズルを、手の挿入方向に対して垂直な方向である略横向きに配置した構成にしている。これにより、乾燥時間の長い空間の噴出し口を手の挿入方向に垂直にすることにより、手の抜き差しの際に、手の全面に気流を当てることができ、乾燥の促進となる。
【００１７】
本発明の第３の実施の形態は、第１の実施の形態または第２の実施の形態による手乾燥装置において、前記噴出し面の領域である第２の領域の中央エリアのノズルを、手の挿入方向に対して垂直な方向である略横向きに配置したものである。これにより、手の挿入に際し、手の甲を挿入する中央エリアにも噴出し口を手の挿入方向に垂直にすることにより、手の抜き差しの際に、手の全面に気流を当てることができ、乾燥の促進となる。
【００１８】
本発明の第４の実施の形態による手乾燥装置は、第１、第２の実施の形態または第３の実施の形態による手乾燥装置において、前記噴出し面の領域である第３の領域の後方エリアのノズルを、手の挿入方向に対して平行な方向である略縦向きに配置したこと構成としたものである。これにより、手の挿入に際し、乾燥空間の奥側は指が挿入されているため、手の挿入方向に並行にすることにより、効率のよい噴出しノズルを設けることができる。
【００１９】
本発明の第５の実施の形態による手乾燥装置は、第１の実施の形態による手乾燥装置において、前記噴出しノズルは、前記前方エリアから後方エリアまで連続した開口部を有し、前方エリアのノズル孔が後方エリアにかけて順次形状と寸法が縮小されている構成としたものである。これにより、手の挿入する方向に合わせたノズル方向のため、指と指の間の水滴を除去することができる。
【００２０】
本発明の第６の実施の形態による手乾燥装置は、第１の実施の形態から第５の実施の形態による手乾燥装置において、前記ノズル孔は、長孔または複数の丸孔形状で構成したものである。これにより、長孔ではまとまった気流を手に吹き付けること、また、丸孔ではノズルカバー部分を強度アップできると共に噴出し気流が広がることにより、乾燥の促進を図ることができる。
【００２１】
以下、本発明の一実施の形態について図面を参照しながら説明する。
【００２２】
（実施の形態１）
まず、図１から図３を用いて実施の形態１による手乾燥装置の外観形状について説明する。図１は本発明の一実施例による手乾燥装置の外観形状を示す斜視図、図２は同装置の側面図である。図１に示すように、手乾燥装置は、装置本体の上部に乾燥室１を形成している。乾燥室１は、背面側から前面側に向かって下方に傾斜した外縁部２によって開口部３が形成されている。この開口部３の下方に凹状の空間である乾燥室１を形成し、排出口５を有する底面６と、奥の面７と、両方の側面８と、前面９によって構成されている。
【００２３】
乾燥室１の開口部３より上方には、気流を噴出するノズル部６０を配設した箱状のノズルカバー１０が設けられている。そして、開口部３、外縁部２およびノズルカバー１０との間に空間３０を形成している。凹状の空間である乾燥室１と空間３０をあわせて手を挿入する乾燥空間３１を形成している。前記ノズル部を有するノズルカバー１０の噴出し面には複数のノズルを有している。ノズル部６０は複数の長孔によって構成され、長孔から噴出される風速は約９０ｍ／ｓから１２０ｍ／ｓ程度のジェット流である。また、ノズルカバー１０には、感度センサー２２を設けている。
【００２４】
次に、図３を用いて手乾燥装置の内部構造について説明する。
【００２５】
図３は同装置の側断面図である。乾燥室１の下方には、ＤＣモーターを用いたファンモーター１１が設けられ、ファンモーター１１の上方、すなわち乾燥室１の背面側には、ノズルカバー１０に連接されるノズルカバー側通風路１２が形成されている。また、これらの通風路の途中にはヒーター１４を設けている。
【００２６】
次に、図４を用いて手乾燥装置の乾燥空間の領域について説明する。図４は同装置の乾燥空間の領域を３つに分けた領域区分図である。図４に示すように、前記ノズルカバー１０を、手前、中央、奥へと、前記ノズルカバー１０から鉛直線状に乾燥空間３１の領域を３分割する。そして、手前側の乾燥空間を第一の領域として前方エリアＡとし、真中の乾燥空間を第二の領域として中央エリアＢとし、奥側の乾燥空間を第三の領域として後方エリアＣとする。
【００２７】
そして、図５を用いて前記３つのエリアに分けた領域に向かって気流を噴出すノズルカバー１０の噴出し面２１に設けたノズルの配置を説明する。図５は同装置の噴出しノズルの配置タイプ１を示した斜視図である。図５に示すように、前方エリアＡには、６１Ａの長孔が４個並んで手の挿入方向に対して垂直に配設されている。そして中央エリアＢには、６１Ｂの長孔が４個並んで手の挿入方向に対して平行に配設されている。そして、後方エリアＣには、６１Ｃの長孔が４個並んで手の挿入方向に対して平行に配設されている。そして、６１Ａの長孔の有効開口面積が一番大きく、６１Ｂの長孔はそれより有効開口面積が小さく、６１Ｃの長孔はそれより更に有効開口面積の小さいものが配置されている。
【００２８】
上記構成において、手を挿入すると、感度センサー２２が検知し、乾燥室１の下部に設けたファンモーター１１が運転し、ノズルカバー側通風路１２に風を供給する。ノズルカバー側通風路１２に供給された風は、ノズルカバー１０に送られ、ノズルカバー１０に設けられた複数の長孔６１Ａ、６１Ｂ、６１Ｃから乾燥室１に向かって気流を噴出している。このとき、長孔６１Ａが一番有効開口面積が大きいため前方エリアの噴出し風量が一番多く、また、長孔６１Ｂの長孔６１Ａが一番有効開口面積が大きいためは６１Ａよりも小さいため中央エリアは前記前方エリアよりも風量は少なくなっている。そして、６１Ｃの長孔６１Ａが一番有効開口面積が一番小さいため後方エリアの噴出し風量が一番少なくなっている。これにより、乾燥空間に挿入した手に当たる気流は、手の面積に合わせて、前方エリアから後方エリアへ向かって順次噴出し風量を少なくしている。そのため、手に最適な風量配分をおこうことができ、乾燥時間の短縮化を可能としている。
【００２９】
（実施の形態２）
図６を用いて実施の形態２による手乾燥装置のノズルカバー１０の噴出し面２１に設けたノズルの配置を説明する。図６は同装置の噴出しノズルの配置タイプ２を示した斜視図である。図６に示すように、前方エリアＡには、７１Ａの丸孔が６個並んで手の挿入方向に対して垂直に配設されている。そして中央エリアＢには、７１Ｂの丸孔が６個並んで手の挿入方向に対して垂直に配設されている。そして、後方エリアＣには、７１Ｃの長孔が４個並んで手の挿入方向に対して平行に配設されている。そして、７１Ａの丸孔の有効開口面積が一番大きく、７１Ｂの丸孔はそれより有効開口面積が小さく、７１Ｃの丸孔はそれより更に有効開口面積の小さいものが配置されている。
【００３０】
上記構成において、手を挿入すると、ノズルカバー１０に設けられた複数の丸孔７１Ａ、７１Ｂ、７１Ｃから乾燥室１に向かって気流を噴出している。乾燥空間に挿入した手に当たる気流は、実施の形態１と同じく、領域エリアの前方エリアＡ、中央エリアＢ、後方エリアＣの有効開口面積に応じて噴出す風量が調整されている。そして、前方エリアＡと中央エリアＢは、手の挿入方向に対して垂直にノズルが配置されており、手を挿入した際の面積の大きい手の甲の乾燥を重点的におこなうことができ、乾燥時間の短縮化を可能としている。
【００３１】
また、長孔の代わりの円孔を用いると、円孔はノズルカバー１０を強度アップできかつ、噴出し気流が広がるため、乾燥の範囲を更に広げることができる。
【００３２】
（実施の形態３）
図７を用いて実施の形態２による手乾燥装置のノズルカバー１０の噴出し面２１に設けたノズルの配置を説明する。図６は同装置の噴出しノズルの配置タイプ３を示した斜視図である。図６に示すように、前方エリアＡから中央エリアＢ、後方エリアＣにかけてれ連続した連続長孔８１を有している。そして、連続長孔８１は、前方エリアＡの端部９１から、後方エリアＣの端部９２に向かって小さくなっている。そして、連続長孔８１は手の挿入方向に対して平行に配置されている。
【００３３】
上記構成において、手を挿入すると、ノズルカバー１０に設けられた複数の連続長孔８１から乾燥室１に向かって気流を噴出している。乾燥空間に挿入した手に当たる気流は、実施の形態１と同じく、領域エリアの前方エリアＡ、中央エリアＢ、後方エリアＣの有効開口面積に応じて噴出す風量が調整され、手の甲の風量が指よりも風量が大きくなっている。そして、全ての連続長孔８１が手の挿入方向と平行に配列されて、手を挿入していくにつれ、指と指の間に連続して気流を当てられるため、指の間の水滴の除去に重点を置いた乾燥をおこなうことができ、乾燥時間の短縮化を可能としている。
【産業上の利用可能性】
【００３４】
本発明の手乾燥装置は、病院の手術室や調理場においても利用可能である。
【図面の簡単な説明】
【００３５】
【図１】本発明の一実施例による手乾燥装置の外観形状を示す斜視図
【図２】同装置の側面図
【図３】同装置の内部の状態を示す側断面図
【図４】同装置の乾燥空間の領域を３つに分けた領域区分図
【図５】同装置の噴出しノズルの配置タイプ１を示した斜視図
【図６】同装置の噴出しノズルの配置タイプ２を示した斜視図
【図７】同装置の噴出しノズルの配置タイプ３を示した斜視図
【符号の説明】
【００３６】
１    乾燥室
２    外縁部
３    開口部
４    ドレンタンク
５    排出口
６    底面
７    奥の面
８    側面
９    前面
１０  ノズルカバー
１１  ファンモーター
２１  ノズルカバーの噴出し面
２２  感度センサ
３０  空間
３１  乾燥空間
【図１】
2006288588.tif 000003
【図２】
2006288588.tif 000004
【図３】
2006288588.tif 000005
【図４】
2006288588.tif 000006
【図５】
2006288588.tif 000007
【図６】
2006288588.tif 000008
【図７】
2006288588.tif 000009